(57)【特許請求の範囲】
【請求項１】
操作コードを操作して日射遮蔽材を移動可能とする日射遮蔽装置であって、
操作コードに日射遮蔽材の移動範囲を規制する移動規制部材を設け、且つ前記移動規制部材と接触し弾性変形可能とする、前記日射遮蔽材の上限位置或いは下限位置の微調整を行うための緩衝部材を設け、前記操作コードは操作ユニット内の操作プーリーに掛装されて支持される無端状のボールチェーンからなり、前記緩衝部材の長さは、前記ボールチェーンのボール部１個とチェーン分の長さ以下とし、前記操作ユニットのコード導入・導出部と前記移動規制部材との間に位置させた前記緩衝部材の長さで当該上限位置或いは下限位置の微調整を行うものとして構成されていることを特徴とする日射遮蔽装置。
【請求項２】
前記緩衝部材は、前記操作コードを挿通可能な筒状の形状を有することを特徴とする、請求項１に記載の日射遮蔽装置。
【請求項３】
前記緩衝部材は複数個連接して設けられていることを特徴とする、請求項１又は２に記載の日射遮蔽装置。
【請求項４】
当該連接して設けられている複数個の緩衝部材は、異なる長さの緩衝部材を含むことを特徴とする、請求項３に記載の日射遮蔽装置。
【請求項５】
前記緩衝部材は、前記操作コードを支持する操作ユニットのコード導入・導出部に設けられていることを特徴とする、請求項１から４のいずれか一項に記載の日射遮蔽装置。
【請求項６】
前記移動規制部材は、前記日射遮蔽材の全閉位置と前記日射遮蔽材の全開位置のいずれか一方、又は双方を規制するよう設けられ、
前記緩衝部材は、
前記移動規制部材が前記日射遮蔽材の全閉位置と前記日射遮蔽材の全開位置のいずれか一方を規制する際には一箇所に、
前記移動規制部材が前記日射遮蔽材の全閉位置と前記日射遮蔽材の全開位置の双方を規制する際には二箇所に設けられていることを特徴とする、請求項１から５のいずれか一項に記載の日射遮蔽装置。
【発明の詳細な説明】
【技術分野】
【０００１】
本発明は、操作コードを操作して日射遮蔽材を移動可能とする日射遮蔽装置に関する。
【背景技術】
【０００２】
従来、操作コードを操作して日射遮蔽材を移動可能とする日射遮蔽装置には、例えばロールスクリーンや横型又は縦型ブラインドなど多数あるが、いずれにおいても日射遮蔽材をその開閉に伴って生じうる例えば壁面や床面等への衝突を避けるべく、日射遮蔽材の移動範囲を規制する工夫が求められる。
【０００３】
このため、操作コードに下限ストッパーを設け、日射遮蔽材の移動範囲を規制する技法が知られている。
【０００４】
例えば、日射遮蔽装置の１つとしてロールスクリーン（又はロールブラインド）があり、このロールスクリーンにて昇降させるスクリーンの下限位置を規制するため、操作コードに下限ストッパーを設ける技法が開示されている（例えば特許文献１参照）。
【０００５】
特許文献１に開示されるロールスクリーンは、支持部材に回転可能に支持された巻取パイプから日射遮蔽材（スクリーン）を吊下支持し、巻取パイプの一側に設けた操作プーリーに無端状の操作コード（ボールチェーン）を掛装し、このボールチェーンの操作により巻取パイプを回転させてスクリーンを巻取り或いは巻戻すことにより、スクリーンを昇降可能としている。そして、スクリーンが巻戻されるとき、巻取パイプの露出に先立って、操作プーリーをカバーするプーリーカバーに係合するよう、このボールチェーンに下限ストッパーを弾性的に嵌着させた構成としている。
【０００６】
このような下限ストッパーは、ボールチェーンで構成した操作コードを利用するものであれば任意の日射遮蔽装置であれば適用することができる。
【０００７】
また、連結具により、ボールチェーンで構成した操作コードを無端状とするべく連結し、スクリーンを下限位置（或いは上限位置）まで移動するよう操作コードを操作したときに、この連結具が操作プーリーとプーリーカバーとの間に挟まり、操作コードのそれ以上の移動を阻止することで、スクリーンの移動範囲を規制する例もある（例えば、特許文献２参照）。
【先行技術文献】
【特許文献】
【０００８】
【特許文献１】特開２００１−３３６３７６号公報
【特許文献２】実公平６−１６１２５号公報
【発明の概要】
【発明が解決しようとする課題】
【０００９】
前述した従来技法のように、操作コードに下限ストッパーや連結具等の移動規制部材を取着し、これを利用して日射遮蔽材の移動範囲を規制することにより、日射遮蔽材をその開閉に伴って生じうる例えば壁面や床面等への衝突を避けることができるため、操作コードに対する移動規制部材の設置は有効である。
【００１０】
しかしながら、特許文献１，２に開示される下限ストッパーや連結具は、操作コードとして構成するボールチェーンのボール部を複数利用して取着する必要があり、この取着位置の調整は、ボール部１個とチェーン（連結紐）分の移動が必要となり、これよりも短い距離での微調整が困難である。
【００１１】
このため、特許文献１，２に開示される技法では、昇降させるスクリーンの上限位置或いは下限位置を定めるのに、従来技法の下限ストッパーや連結具を用いるのみでは、その上限位置或いは下限位置の微調整を行うことができない。
【００１２】
また、下限ストッパーや連結具を合成樹脂で構成し、スクリーンの上限位置を規制するようボールチェーンに設けたとしても、スクリーンの巻き上げにより、急激にスクリーンの巻き上げが停止することとなるため、例えばスクリーンの張設に用いる錘部材（ウェイトバー）と巻取パイプを支持する取付フレームとが接触し、その接触音が操作者に不快感を与えることもある。
【００１３】
従って、下限ストッパーや連結具を利用してスクリーンの上限・下限位置の設定を行うには更なる工夫が要望される。
【００１４】
本発明の目的は、上述の問題に鑑みて、日射遮蔽材の全閉位置或いは全開位置の設定に関する微調整を可能とし、好適には当該全閉位置或いは全開位置における所定の接触音を低減可能とするよう構成した、操作コードを操作して日射遮蔽材を移動可能とする日射遮蔽装置を提供することにある。
【課題を解決するための手段】
【００１５】
本発明の日射遮蔽装置は、操作コードを操作して日射遮蔽材を移動可能とする日射遮蔽装置であって、操作コードに日射遮蔽材の移動範囲を規制する移動規制部材を設け、且つ前記移動規制部材と接触し弾性変形可能とする、前記日射遮蔽材の上限位置或いは下限位置の微調整を行うための緩衝部材を設け、前記操作コードは操作ユニット内の操作プーリーに掛装されて支持される無端状のボールチェーンからなり、前記緩衝部材の長さは、前記ボールチェーンのボール部１個とチェーン分の長さ以下とし、前記操作ユニットのコード導入・導出部と前記移動規制部材との間に位置させた前記緩衝部材の長さで当該上限位置或いは下限位置の微調整を行うものとして構成されていることを特徴とする。
【００１６】
また、本発明の日射遮蔽装置において、前記緩衝部材は、前記操作コードを挿通可能な筒状の形状を有することを特徴とする。
【００１７】
また、本発明の日射遮蔽装置において、前記緩衝部材は複数個連接して設けられていることを特徴とする。
【００１８】
また、本発明の日射遮蔽装置において、当該連接して設けられている複数個の緩衝部材は、異なる長さの緩衝部材を含むことを特徴とする。
【００２０】
また、本発明の日射遮蔽装置において、前記緩衝部材は、前記操作コードを支持する操作ユニットのコード導入・導出部に設けられていることを特徴とする。
【００２１】
また、本発明の日射遮蔽装置において、前記移動規制部材は、前記日射遮蔽材の全閉位置と前記日射遮蔽材の全開位置のいずれか一方、又は双方を規制するよう設けられ、前記緩衝部材は、前記移動規制部材が前記日射遮蔽材の全閉位置と前記日射遮蔽材の全開位置のいずれか一方を規制する際には一箇所に、前記移動規制部材が前記日射遮蔽材の全閉位置と前記日射遮蔽材の全開位置の双方を規制する際には二箇所に設けられていることを特徴とする。
【発明の効果】
【００２２】
本発明によれば、日射遮蔽材の全閉位置或いは全開位置の設定に関する微調整を可能とし、且つ当該全閉位置或いは全開位置における所定の接触音を低減することが可能となる。
【図面の簡単な説明】
【００２３】
【図１】本発明による一実施形態のロールスクリーンの概略構成を示す正面図である。
【図２】本発明による一実施形態のロールスクリーンの概略構成を示す側面図である。
【図３】（ａ）,（ｂ），（ｃ）は、それぞれ本発明による一実施形態のロールスクリーンにおける緩衝部材の形状例を示す斜視図である。
【図４】（ａ）,（ｂ）は、それぞれ本発明による一実施形態のロールスクリーンにおける緩衝部材を例示する部分的な斜視図である。
【図５】本発明による一実施形態のロールスクリーンにおける緩衝部材の作用を説明する部分的な斜視図である。
【発明を実施するための形態】
【００２４】
以下、図面を参照して、本発明による一実施形態のロールスクリーン１を日射遮蔽装置の代表例として説明する。尚、本願明細書中、図１に示すロールスクリーン１の正面図に対して、図示上方及び図示下方をスクリーン４の吊り下げ方向に準じてそれぞれ上方向（又は上側）及び下方向（又は下側）と定義し、図示左方向をロールスクリーン１の左側、及び、図示右方向をロールスクリーン１の右側と定義して説明する。また、以下に説明する例では、図１に示すロールスクリーン１の正面図に対して、視認する側を前側（又は室内側）、その反対側を後側（又は室外側）とし、ロールスクリーン１の前後方向と称するときは、図１の正面図における図示面に対して垂直な方向を云う。
【００２５】
（全体構成）
まず、図１及び図２を参照して、本発明による一実施形態のロールスクリーン１の構成を日射遮蔽装置の代表例として説明する。図１は、本発明による一実施形態のロールスクリーン１の概略構成を示す正面図であり、図２は、本発明による一実施形態のロールスクリーン１の概略構成を示す側面図である。
【００２６】
図１及び図２に示すように、本実施形態のロールスクリーン１は、ブラケット８を介して取付フレーム２の上端を天井面等の取付面に固定して設置される。そして、取付フレーム２の左右両端に支持部材２ａ，２ｂが固定され、その支持部材２ａ，２ｂから延びる固定軸１１によって、支持部材２ａ，２ｂ間に円筒状の巻取パイプ９が回転可能に支持される。
【００２７】
巻取パイプ９の右端部には、巻取パイプ９及び支持部材２ａ，２ｂに対して相対回動可能な操作ユニット６が設けられている。また、操作ユニット６内には、操作プーリー１０が収容され、この操作プーリー１０に掛回される無端状の操作コード３が操作ユニット６のコード導入・導出部６ａから垂下されている。そして、操作コード３の操作により巻取パイプ９を回転操作可能とするよう構成されている。この操作コード３は、所定ピッチで連続するボール部３ａ及びチェーン部３ｂからなる無端状のボールチェーンで構成され、操作プーリー１０の表面は、そのボール部３ａに適合する形状の凹凸を有するように構成される。また、この無端状とするべく連結具１３が設けられている。連結具１３は、着脱可能な複数部材で構成されており、この各部材は合成樹脂で形成され１個のボール部３ａを固着している。従って、連結具１３の取着による位置調整には、ボール部３ａの１個とチェーン（連結紐）分の長さが必要となっている。
【００２８】
巻取パイプ９は、スクリーン４の一辺を取着して巻き取り可能に吊下支持しており、巻取パイプ９から垂下したスクリーン４の他辺は、錘部材として機能するウェイトバー５の重量に基づいて張設される。
【００２９】
従って、操作コード３を操作して巻取パイプ９をスクリーン巻取り方向へ回転させるとウェイトバー５が上昇し、巻取パイプ９をスクリーン巻戻し方向へ回転させるとウェイトバー５が下降する。
【００３０】
また、巻取パイプ９内において、その左端側にはスクリーン４の巻上時の操作力を軽減するスプリングモーター、右端側にはスクリーン４の自重降下を防止するストッパー装置等が収容されている（図示せず）。
【００３１】
ところで、本実施形態に係るロールスクリーン１では、無端状の操作コード３に対して、スクリーン４の移動範囲を規制するストッパー１２が二箇所に設けられ、且つ各ストッパー１２の上方位置で円筒状の緩衝部材１５がそれぞれ設けられている。
【００３２】
二箇所に設けられた各ストッパー１２は、それぞれ操作プーリー１０に掛装される無端状の操作コード３の移動範囲を定めるためのものであり、スクリーン４が巻戻されるときにはその下限位置を、スクリーン４が巻き取られるときにはその上限位置を概ね定めることができる。
【００３３】
ストッパー１２は、合成樹脂で形成され、操作コード３として構成するボールチェーンのボール部３ａを２個分弾性的に嵌着させて、操作コード３に固定されている。従って、ストッパー１２の取着による位置調整には、ボール部３ａの１個とチェーン（連結紐）分の長さが必要となっている。
【００３４】
このため、ストッパー１２をボールチェーンで構成した操作コード３に取着しても、この取着位置の調整は、ボール部１個とチェーン（連結紐）分の移動が必要となり、これよりも短い距離での微調整ができない。このため、ストッパー１２を用いるのみでは、スクリーン４の上限位置及び下限位置の微調整を行うことができない。
【００３５】
また、ストッパー１２のみによってスクリーン４の上限位置を規制すると、スクリーン４の巻き上げにより、急激にスクリーン４の巻き上げが停止することとなるため、スクリーン４の張設に用いるウェイトバー５と巻取パイプ９を支持する取付フレーム２とが接触することもあり、その接触音が操作者に不快感を与えることもある。また、ストッパー１２のみによってスクリーン４の下限位置を規制すると、ウェイトバー５の下面と床面との間の隙間を微調整できないことから、操作者に不便性を与えることもある。
【００３６】
そこで、本実施形態に係るロールスクリーン１では、各ストッパー１２の上方位置で円筒状の緩衝部材１５がそれぞれ設けられている。
【００３７】
（緩衝部材）
緩衝部材１５は、弾性変形可能な合成樹脂で形成されており、操作コード３が非固定で移動可能に挿通されて各ストッパー１２の上方位置に載置される。緩衝部材１５の筒長（高さ）は、ボール部１個とチェーン（連結紐）分の長さ以下とし、これによりスクリーン４の上限位置や下限位置を微調整して規制することができる。
【００３８】
また、緩衝部材１５の形状は、中空形状であれば如何なる形状でもよく、例えば図１及び図２に示す例のような円筒状（図３（ａ）参照）とする以外にも、多角筒状（図３（ｂ）参照）や自由曲面の筒状（図３（ｃ）参照）とすることができる。
【００３９】
更に、図１及び図２に示す例では、図４（ａ）に示すように、１つの緩衝部材１５を載置する例を示しているが、図４（ｂ）に示すように、ボール部１個とチェーン（連結紐）分の長さ以下で筒長（高さ）が異なる複数種の緩衝部材１５，１５ａを用意して組み合わせて用いるよう構成することができる。このように複数種の緩衝部材１５，１５ａを用いることで高精度の微調整が可能となる。
【００４０】
このように、緩衝部材１５（又は１５ａ）は、スクリーン４の上限位置の微調整に使用することができるとともに、スクリーン４の上限位置の微調整に使用することができる。
【００４１】
また、弾性変形可能な緩衝部材１５（又は１５ａ）の利用によって、スクリーン４の上限位置を微調整して規制することで、急激にスクリーン４の巻き上げが停止することを緩和し、ウェイトバー５と取付フレーム２との接触がより起きにくくなり、例えウェイトバー５と取付フレーム２とが接触しても、その衝突力を緩和させることができる。これにより、操作者に対する不快感を軽減させることができる。
【００４２】
より具体的には、図５に示すように、緩衝部材１５，１５ａを操作コード３に取着して、スクリーン４の上限位置を微調整して規制すると、ウェイトバー５と取付フレーム２との接触より前に、この緩衝部材１５ａが操作ユニット６のコード導入・導出部６ａに接触するため、仮にウェイトバー５が跳ね上がったとしても、ウェイトバー５と取付フレーム２との接触が起きにくくなる。また、緩衝部材１５，１５ａは、弾性変形可能な合成樹脂で形成されているため、緩衝部材１５ａが操作ユニット６のコード導入・導出部６ａに接触する際にダンパー作用が生じ、例えウェイトバー５と取付フレーム２とが接触しても、その衝突力を緩和させることができる。
【００４３】
そして、ウェイトバー５の下面と床面との間の隙間を緩衝部材１５（又は１５ａ）の利用によって微調整することで、遮光性や通気遮断性を向上させることができる。
【００４４】
以上、特定の実施形態の例を挙げて本発明を説明したが、本発明は前述の実施形態の例に限定されるものではなく、その技術思想を逸脱しない範囲で種々変形可能である。例えば、上述の実施形態の例では、室外側からスクリーン４を垂下する例を図示しているが、室内側からスクリーン４を垂下する形態にも適用することができ、緩衝部材１５（又は１５ａ）は、逆巻き防止の観点でも有効となる。
【００４５】
また、上述の実施形態の例ではロールスクリーンを例に説明したが、操作コードを操作して日射遮蔽材を移動可能とする任意の日射遮蔽装置にも緩衝部材１５（又は１５ａ）を適用することができ、例えば横型又は縦型ブラインド、カーテンレール、アコーディオンカーテン、たくし上げカーテン、プリーツスクリーンなどにも適用することができる。
【００４６】
また、緩衝部材１５（又は１５ａ）は、無端状のボールチェーンに適用可能とするだけでなく、紐状の操作コードや、非無端状の操作コードにも適用可能である。
【００４７】
また、緩衝部材１５（又は１５ａ）は、スクリーン４の上限位置の微調整のためだけに用いてもよいし、スクリーン４の下限位置の微調整のためだけに用いてもよい。従って、緩衝部材１５（又は１５ａ）は、ストッパー１２に対して適用する以外にも、連結具１３に対して適用した日射遮蔽装置を構成することもできる。従って、緩衝部材１５（又は１５ａ）は、操作コードに設けられる日射遮蔽材の移動範囲を規制する移動規制部材に対して、接触し弾性変形可能とするよう設けることができる。
【００４８】
また、緩衝部材１５（又は１５ａ）は、操作ユニット６のコード導入・導出部６ａに設けてもよい。また、ストッパー１２を全部又は一部覆う形で緩衝部材１５（又は１５ａ）を設置してもよい。
【産業上の利用可能性】
【００４９】
本発明によれば、日射遮蔽材の全閉位置或いは全開位置の設定に関する微調整を可能とし、好適には当該全閉位置或いは全開位置における所定の接触音を低減可能とするので、操作コードを操作して日射遮蔽材を移動可能とする日射遮蔽装置の用途に有用である。
【符号の説明】
【００５０】
１  ロールスクリーン
２  取付フレーム
２ａ，２ｂ  支持部材
３  操作コード
４  スクリーン
５  ウェイトバー
６  操作ユニット
９  巻取パイプ
１０  操作プーリー
１１  固定軸
１２  ストッパー
１３  連結具
１５，１５ａ  緩衝部材
【図１】
0006655260.tif 000002
【図２】
0006655260.tif 000003
【図３】
0006655260.tif 000004
【図４】
0006655260.tif 000005
【図５】
0006655260.tif 000006